(57)【要約】【課題】  音楽や映像などの素材（コンテンツ）のみならず、その素材を変化させて得られたアレンジ結果も楽しむことができるようにする。【解決手段】  端末装置５１〜５４は、アレンジサービスプロバイダ１０から新コンテンツデータあるいはアレンジ用データを得るのみならず、端末装置５１〜５４間でデータを交換できる。このような端末装置間５１〜５４でのデータ交換の際にも決済や価値点付与を行うために、データ交換の状況をアレンジサービスプロバイダ１０や他のサーバなどに報告するようにし、このサーバなどで決済や価値点付与の処理を一括して管理する。【選択図】  図１１
2010170580.tif 000002
【特許請求の範囲】
【請求項１】
複数の端末装置とサーバとの間でネットワークを介してデータが送受信されるデータ流通システムにおいて、
上記端末装置は、
コンテンツデータに対して、該コンテンツデータを変化させた新コンテンツデータを保持する手段と、
カテゴリＩＤを保持する手段と、
同じカテゴリＩＤを持つ他の端末装置からの要求により、上記新コンテンツデータを当該同じカテゴリＩＤを持つ他の端末装置に送信し、上記他の端末装置に上記新コンテンツデータを送信したことを上記サーバに報告する手段と
を具備し、
上記サーバは、
上記端末装置が上記新コンテンツデータを上記他の端末装置に送信したことの報告を受信する受信手段と、
上記報告に応じて、上記コンテンツデータの所有者または権利者、および上記新コンテンツデータの作成者に対して決済処理および／または価値点付与処理をする手段と
を具備する
データ流通システム。
【請求項２】
他の端末装置とサーバとの間でネットワークを介してデータを送受信する端末装置において、
コンテンツデータに対して、該コンテンツデータを変化させた新コンテンツデータを保持する保持手段と、
カテゴリＩＤを保持する手段と、
同じカテゴリＩＤを持つ他の端末装置からの要求により、上記新コンテンツデータを当該同じカテゴリＩＤを持つ他の端末装置に送信し、上記他の端末装置に上記新コンテンツデータを送信したことを、上記サーバに報告する手段と
を具備する端末装置。
【請求項３】
端末装置との間でネットワークを介してデータを送受信するサーバにおいて、
上記端末装置が、コンテンツデータに対して該コンテンツデータを変化させた新コンテンツデータを、同じカテゴリＩＤを持つ他の端末装置に送信したことの報告を受信し、上記報告に応じて上記コンテンツデータの所有者または権利者、および上記新コンテンツデータの作成者に対して決済処理および／または価値点付与処理をする手段
を具備するサーバ。
【請求項４】
複数の端末装置とサーバとの間でネットワークを介してデータが送受信されるデータ流通システムにおいて、
上記端末装置は、
カテゴリＩＤを保持する手段と、
同じカテゴリＩＤを持つ他の端末装置に、コンテンツデータに対して該コンテンツデータを変化させた新コンテンツデータの送信を要求する手段と、
上記新コンテンツデータを受信し、上記同じカテゴリＩＤを持つ他の端末装置から上記新コンテンツデータを受信したことを、上記サーバに報告する報告手段と
を具備し、
上記サーバは、
上記端末装置が上記新コンテンツデータを上記他の端末装置から受信したことの報告を受信し、上記コンテンツデータの所有者または権利者、および上記新コンテンツデータの作成者に対して決済処理および／または価値点付与処理をする手段
を具備する
データ流通システム。
【請求項５】
他の端末装置とサーバとの間でネットワークを介してデータを送受信する端末装置において、
カテゴリＩＤを保持する手段と、
同じカテゴリＩＤを持つ他の端末装置に、コンテンツデータに対して該コンテンツデータを変化させた新コンテンツデータの送信を要求する手段と、
上記同じカテゴリＩＤを持つ他の端末装置から上記新コンテンツデータを受信し、上記同じカテゴリＩＤを持つ他の端末装置から上記新コンテンツデータを受信したことを、上記サーバに報告する手段と
を具備する端末装置。
【請求項６】
端末装置との間でネットワークを介してデータを送受信するサーバにおいて、
上記端末装置がコンテンツデータに対して該コンテンツデータを変化させた新コンテンツデータを同じカテゴリＩＤを持つ他の端末装置から受信したことの報告を受信し、上記報告に応じて上記コンテンツデータの所有者または権利者、および上記新コンテンツデータの作成者に対して決済処理および／または価値点付与処理をする手段
を具備するサーバ。
【発明の詳細な説明】
【技術分野】
【０００１】
本発明は、サーバと端末装置との間でネットワークを介してデータが送受信されるデータ流通システム、サーバ、及び端末装置に関する。
【背景技術】
【０００２】
近年において、デジタルＡＶ機器の普及にともなって音楽や映像などのコマーシャルコンテンツ（商業用コンテンツ、販売用コンテンツ、プロフェッショナルコンテンツ）が、ＣＤやＤＶＤ（digital versatile disk）などの形態で販売されており、また、各種のコンテンツがネットワークを通じて販売されたり、配信されたりもしている。さらに、ＡＤＳＬ（asymmetric digital subscriber line）やＦＴＴＨ（fiber to the home）などの普及にともなってインターネットを利用したＰ２Ｐシステムが現実のものとなっている。
【０００３】
従来技術として、例えば特許文献１には、コンテンツの不正な配信をなくすとともに、ユーザの利便性を増すようなコンテンツ提供方法、システム、コンテンツ提供プログラムおよび同プログラムを記録した記録媒体が開示されている。
【０００４】
また、特許文献２に開示されているデータ処理方法および装置、データアクセス方法並びに端末装置は、端末装置とサーバとの間でネットワークを介してデータの送受信が可能とされたシステムにおいて、サーバで管理される複数のファイルからファイル群が構成され、上記ファイル群が所有者毎にそれぞれラベル付けされ、ファイルにアクセスする際に、アクセスしたファイルが自己の所有の上記ファイル群に含まれる場合は、そのファイルを自由にダウンロードおよび／またはストリーミングによって再生でき、アクセスしたファイルが自己の所有の上記ファイル群に含まれない場合は、そのファイルの一部のみをストリーミングによって再生可能とするものである。
【先行技術文献】
【特許文献】
【０００５】
【特許文献１】特開２００２-２３６７６８号公報
【特許文献２】特開２００３-１１４９４９号公報
【発明の概要】
【発明が解決しようとする課題】
【０００６】
ところで、上述のような音楽や映像などの各種コンテンツは、ＣＤやＤＶＤなどのパッケージメディアビジネスあるいはＥＭＤ（electronic music distribution）などのネットワークビジネスにせよ、ユーザは受身で視聴するだけであった。これらのコマーシャルコンテンツ（商業用コンテンツ、販売用コンテンツ、プロフェッショナルコンテンツ）に対して、デジタル技術の発達とともに、ユーザ側でアレンジを考えたり、テンポを変えたり、イコライジングしたりしてパーソナルコンテンツ化して楽しみたいという要求が出てきているが、一部のマニアにしかその喜びを享受できておらず、一般のユーザが容易に楽しむことはできなかった。また、著作権問題を含め、コマーシャルサイド、ユーザサイドの双方が利益を享受できるようなシステムも考えられていなかった。
【０００７】
本発明は、このような従来の実情に鑑みて提案されたものであり、コマーシャルコンテンツに対して、アレンジなどの変更を加えて（変化させて）楽しむと共に、その変化したコンテンツを他者にも提供して楽しむことができ、著作権問題を含め、コマーシャルサイド、ユーザサイドの双方が利益を享受できるようなデータ流通システム、サーバ、及び端末装置を提供することを目的とする。
【課題を解決するための手段】
【０００８】
上述の課題を解決するために、本発明は、複数の端末装置とサーバとの間でネットワークを介してデータが送受信されるデータ流通システムにおいて、上記端末装置は、コンテンツデータに対して、該コンテンツデータを変化させた新コンテンツデータを保持する手段と、カテゴリＩＤを保持する手段と、同じカテゴリＩＤを持つ他の端末装置からの要求により、上記新コンテンツデータを当該同じカテゴリＩＤを持つ他の端末装置に送信し、上記他の端末装置に上記新コンテンツデータを送信したことを上記サーバに報告する手段とを具備し、上記サーバは、上記端末装置が上記新コンテンツデータを上記他の端末装置に送信したことの報告を受信する受信手段と、上記報告に応じて、上記コンテンツデータの所有者または権利者、および上記新コンテンツデータの作成者に対して決済処理および／または価値点付与処理をする手段とを具備する。
【０００９】
また、本発明は、複数の端末装置とサーバとの間でネットワークを介してデータが送受信されるデータ流通システムにおいて、上記端末装置は、カテゴリＩＤを保持する手段と、同じカテゴリＩＤを持つ他の端末装置に、コンテンツデータに対して該コンテンツデータを変化させた新コンテンツデータの送信を要求する手段と、上記新コンテンツデータを受信し、上記同じカテゴリＩＤを持つ他の端末装置から上記新コンテンツデータを受信したことを、上記サーバに報告する手段とを具備し、上記サーバは、上記端末装置が上記新コンテンツデータを上記他の端末装置から受信したことの報告を受信し、上記コンテンツデータの所有者または権利者、および上記新コンテンツデータの作成者に対して決済処理および／または価値点付与処理をする手段を具備する。
【００１０】
ここで、上記コンテンツデータは、映像データ、写真データ、音楽データ、音声データ、ゲームデータ、電子書籍データ、プログラムデータの少なくとも１つであることが挙げられる。また、上記変化は、上記コンテンツデータの画像変化、画像特殊効果、画像部分抜き出し、色調変化、明度変化、テンポ変化、リズム変化、メロディー変化、音源変化、音素材変化、キャラクタ変化、内容変化の少なくとも１つであることが挙げられる。
【００１１】
また、上記付加データは、上記コンテンツデータとの差分データ、上記コンテンツデータに変換をかけるためのデータが挙げられ于、また、ユーザがさまざまに作成したものであってもよい。
【００１２】
さらに、上記決済は、クレジットカード、銀行振込、郵便振込、電子マネー、マイクロペイメント、Ｗｅｂマネーの少なくとも１つにより行われることが挙げられる。
【発明の効果】
【００１３】
本発明によれば、音楽や映像などの素材そのもの（コンテンツデータ）を楽しむことができるとともに、その素材を変化させて得られたアレンジ結果も楽しむことができ、そのアレンジ結果を与える情報（付加データ）や、アレンジ結果（新コンテンツデータ）をサーバや各端末装置に用意して、付加データまたは新コンテンツデータがダウンロードおよび／またはストリーミング再生されることに応じて、コンテンツデータの所有者および／または権利者や、上記付加データまたは上記新コンテンツデータの作成者に対して決済および／または価値点付与がなされることにより、コンテンツ産業の発展に寄与することができ、またアレンジ用データの作成者にもインセンティブが与えられ、コミュニティ形成が加速され、コンテンツの楽しみ方が拡大されて、著作権上も大きな前進となるとともに、素材の売り上げに寄与することもできる。
【図面の簡単な説明】
【００１４】
【図１】本発明の実施の形態となるデータ流通システムの概略構成を示すブロック図である。
【図２】アレンジ済みの新コンテンツデータあるいはアレンジ用データをダウンロードする場合の一般的な動作を説明するためのフローチャートである。
【図３】アレンジ済みの新コンテンツデータあるいはアレンジ用データをダウンロードする際の課金処理あるいは社会的な価値や名誉を表すポイント（価値点）の付与動作を説明するためのフローチャートである。
【図４】本発明の説明に供するオリジナルコンテンツとアレンジ用データとが記録された記録媒体（ＣＤ）の一例を示す図である。
【図５】図４の記録媒体（ＣＤ）のアレンジ用データのフォーマットの一例を示す図である。
【図６】他の記録媒体（ＤＶＤ）のアレンジ用データのフォーマットの他の例を示す図である。
【図７】図４の記録媒体を再生するための再生装置の一例を示すブロック図である。
【図８】本発明の実施の形態となるデータ流通システムのアレンジサービスプロバイダ及びアレンジ機能付きの再生装置（ＣＤプレーヤ）の概略構成を示す図である。
【図９】図８の構成における再生動作を説明するためのフローチャートである。
【図１０】図８の構成における再生動作時の課金（ポイント）処理を説明するためのフローチャートである。
【図１１】本発明の実施の形態におけるアレンジサービスプロバイダとネットワークを介して接続される複数の端末装置との概略構成を示す図である。
【発明を実施するための形態】
【００１５】
以下、本発明を適用した具体的な実施の形態について、図面を参照しながら詳細に説明する。
【００１６】
本発明の実施の形態においては、映像や音楽などさまざまなオリジナルの商業用コンテンツデータを変化させる（アレンジする）ことを想定し、オリジナルコンテンツのデータに対して、プロ（プロフェッショナル）やアマチュアのユーザが思い思いに行ったアレンジによる新コンテンツデータまたは新コンテンツデータを生成するためのアレンジ用データ（付加データ）が、ネットワークを介してサーバなどにアップロードされたり、送信されたり、記録されたりする。ここで、オリジナルの商業用コンテンツデータの所有者をＡ、アレンジ用のデータの作成者をＢとする。これらの所有者Ａ、作成者Ｂは、いずれも１あるいは複数の自然人や法人などであってもよい。その後、この新コンテンツデータあるいはアレンジ用データ（付加データ）が、他者によりダウンロードされたり、再生されたり、受信されたり、あるいは他者へ再送信されたり、再記録されたりした場合に、所有者Ａおよび／または作成者Ｂに対して広義の著作権料や印税あるいは使用料等を支払うような課金処理などによる決済を行う。この課金処理などによる決済は、ペイバック（payback）のような金銭的な支払い（トークン、クーポンなどの対価代用物も含む）を行うものであり、具体的には、例えば、クレジットカード、銀行振込、郵便振込、電子マネー、マイクロペイメント、Ｗｅｂマネー（プリペイドカード型電子マネー）の少なくとも１つにより行われることが挙げられる。また、上記課金処理などによる決済の代わりに、あるいは決済することと同時に、社会的な価値や名誉を表すポイントとしての価値点（ダウンロード回数、アクセス回数、投票による順位なども含む）の付与を行うようにすることも挙げられる。このポイント（価値点）は、クーポン、バーチャルマネー、地域通貨などとも呼ばれ、サービスによっては換金、換品ができる実質的に通常通貨のような価値をもつものも含むものである。このような決済および／または価値点付与を行うことにより、アレンジ用データの作成者のみならず、オリジナルコンテンツの著作権者等に対しても見返りが期待できるため、コミュニティ形成を加速することができる。
【００１７】
ここで、上記コンテンツデータは、映像データ、写真データ、音楽データ、音声データ、ゲームデータ、電子書籍データ、プログラムデータの少なくとも１つが挙げられる。また、上記変化（アレンジ）としては、上記コンテンツデータの画像変化、画像特殊効果、画像部分抜き出し、色調変化、明度変化、テンポ変化、リズム変化、メロディー変化、音源変化、音素材変化、キャラクタ変化、内容変化の少なくとも１つが挙げられる。上記付加データ（アレンジ用データ）としては、上記コンテンツデータとの差分データ、上記コンテンツデータに変換をかけるためのデータが挙げられ、また、ユーザがさまざまに作成したものであってもよい。
【００１８】
図１は、本発明の実施の形態となるデータ流通システムの概略構成を示すブロック図である。
【００１９】
この図１において、ユーザ等が作成したコンテンツアレンジ用の付加データ（アレンジ用データ）やアレンジ済みの新コンテンツデータを提供するために、アレンジサービスプロバイダ（サーバ）１０は、アレンジ用データ（付加データ）のデータベース１１と、オリジナルコンテンツをアレンジしたアレンジ済みデータ（新コンテンツデータ）のデータベース１２とを有している。
【００２０】
アレンジデータ作成者は、例えば端末装置１５によりアレンジサービスプロバイダ（サーバ）１０に対してアレンジ用データを提供（アップロード）し利用契約を結ぶことにより、そのアレンジ用データあるいはアレンジ済みデータが使用されることに対して、アレンジサービスプロバイダ１０から使用料分配がなされる。
【００２１】
アレンジサービスプロバイダ１０は、音楽会社（レコード会社）等のコンテンツホルダ１６や、JASRAC（日本音楽著作権協会）等の権利団体１７からの利用契約に基づき、そのコンテンツのアレンジ用データやアレンジ済みデータが使用されることに対して、コンテンツホルダ１６や権利団体１７に使用料の支払を行う。また、作詞作曲者等の著作権者１８は、権利団体１７に権利委託することにより使用料の分配がなされる。
【００２２】
一般のユーザは、通常の再生装置としての端末装置２１で再生を行う場合に、アレンジサービスプロバイダ１０に対して、所望のアレンジ済みデータ（新コンテンツデータ）を選択し支払することにより、アレンジ済みデータのデータベース１２から選択されたアレンジ済みデータが読み出され、端末装置２１に送信される。
【００２３】
また、オリジナルコンテンツを、上記アレンジ用データ（付加データ）に基づいて変化させる（アレンジを施す）ことが可能なアレンジ機能、あるいは一種のジェネレータ機能（新コンテンツの生成機能）を有する再生装置としての端末装置２２を用いる場合には、アレンジサービスプロバイダ１０から所望のアレンジ用データの供給を受けるようにすればよい。すなわち、アレンジサービスプロバイダ１０に対して、所望のアレンジ用データ（付加データ）を選択して支払を行うことにより、アレンジサービスプロバイダ１０は、アレンジ用データのデータベース１１から選択されたアレンジ用データを読み出して、アレンジ機能付きの再生装置としての端末装置２２に送信する。端末装置２２は、オリジナルのコンテンツデータを、ＣＤやＤＶＤ等の記録媒体を再生したり、あるいはネットワークを介してダウンロードすること等により入手し、得られたオリジナルコンテンツに対してアレンジ用データを用いてアレンジを施して、すなわち付加データによりオリジナルコンテンツを変化させて新コンテンツを生成（ジェネレート）し、この新コンテンツを記録保存したり再生したりする。
【００２４】
なお、この図１の例において、オリジナルコンテンツの受け渡し等については、通常のコンテンツの場合と同様であるため、図示せず説明を省略している。
【００２５】
上述したようなアレンジ済みデータ（新コンテンツデータ）あるいはアレンジ用データ（付加データ）をダウンロードしたり再生（ストリーミング再生を含む）したりする場合の一般的な動作について、図２のフローチャートを参照しながら説明する。この図２の例では、ネットワーク等を介してデータを送受信する場合のみならず、ＣＤやＤＶＤ等の記録媒体を用いて再生する場合も含めている。
【００２６】
図２において、最初のステップＳＴ１００では、アレンジされた新コンテンツやアレンジ用データをダウンロード／再生するためのダウンロード／再生操作を行う。次のステップＳＴ１０１では、ネットワーク媒体／記録媒体からデータを読み出し、次のステップＳＴ１０２で、アレンジ用データを選択し、あるいは新コンテンツ（アレンジ済コンテンツ）データを選択する。このアレンジ用データあるいは新コンテンツデータは一般にエンコードされており、次のステップＳＴ１０３やＳＴ１０４で、復調処理やエラー訂正処理等のデコード処理を施すことにより、次のステップＳＴ１０５で、デコードされたアレンジ用データ、あるいは新コンテンツデータを取り出す。上記ステップＳＴ１０２でアレンジ用データを選択した場合には、次のステップＳＴ１０６で、オリジナルのＡＶコンテンツデータとアレンジ用データの統合処理、すなわち、アレンジ用データによりオリジナルのコンテンツデータを変化させる（アレンジする）処理を行った後、ステップＳＴ１０７に進む。上記ステップＳＴ１０２で新コンテンツデータを選択した場合には、ステップＳＴ１０６を介さずにステップＳＴ１０７に進む。ステップＳＴ１０７では、アレンジされた新コンテンツデータをＤ／Ａ変換（ディジタル／アナログ変換）し、視聴可能な形態でＡＶコンテンツを再生する。あるいは、新コンテンツデータを記録保存することも可能である。
【００２７】
次に、上述したようなアレンジ済みの新コンテンツデータやアレンジ用データをダウンロード／再生する際の課金処理あるいは社会的な価値や名誉を表すポイント（価値点）の付与について、図３のフローチャートを参照しながら説明する。
【００２８】
図３の最初のステップＳＴ１１１において、ユーザは所望のアレンジ済み／アレンジ用データを選択して、上記アレンジサービスプロバイダ１０からダウンロード／再生する。次のステップＳＴ１１２では、この選択されたデータがアレンジ済みデータ（新コンテンツデータ）か否かを判別する。アレンジ済みデータ（ＹＥＳ）の場合は、ステップＳＴ１１３に進み、対応するオリジナルのコンテンツデータを決定し、次のステップＳＴ１１４で、アレンジ済みデータの作成者にＰａ、オリジナルコンテンツの所有者／権利者にＰｂの金額の課金などによる決済や社会的な価値や名誉を表す価値点付与がなされる。上記ステップＳＴ１１２でＮＯ（アレンジ済みデータではない、すなわちアレンジ用データ）と判別された場合は、ステップＳＴ１１５に進み、対応するオリジナルのコンテンツデータを決定し、次のステップＳＴ１１４で、アレンジ用データの作成者にＰｃ、オリジナルコンテンツの所有者／権利者にＰｄの金額の決済や価値点の付与がなされる。
【００２９】
上記金額（あるいは価値点の点数）Ｐａ，Ｐｂ，Ｐｃ，Ｐｄについては、一例として、
Ｐａ＜Ｐｂ，  Ｐｃ＞Ｐｄ，  Ｐａ≦Ｐｃ，  Ｐｂ＞Ｐｄ
とすることが挙げられる。
【００３０】
上記決済あるいは価値点付与に関しては、種々の方法が考えられるが、以下に具体例を説明する。
【００３１】
（１）アレンジサービスプロバイダ１０において、端末装置によるダウンロード回数をカウントし、その回数に上記金額（あるいは価値点の点数）Ｐａ，Ｐｂ，Ｐｃ，Ｐｄを乗算する。
【００３２】
（２）アレンジサービスプロバイダ１０で月額使用料を設定し、その総額をダウンロード回数の比率で配分した上で、所定の配分比率（例えばアレンジ済みデータの場合Ｐａ：Ｐｂ、アレンジ用データの場合Ｐｃ：Ｐｄ）でさらに配分する。
【００３３】
（３）端末装置２２のように、アレンジ用データを利用してオリジナルコンテンツに対して変化を加えて（アレンジして）新コンテンツを生成（ジェネレート）可能な装置の場合には、アレンジ用データを用いて新コンテンツを生成する毎に回数をカウントし、その回数を上記配分計算に用いるようにしてもよい。
【００３４】
（４）また、後述するように、いわゆるＰ２Ｐ（ピアツーピア）のように、端末装置間でアレンジ用データあるいはアレンジ済みデータ（新コンテンツ）を受け渡しする毎に回数をカウントし、その回数を上記配分計算に用いるようにしてもよい。ただし、アレンジ済みデータの受け渡しについては、オリジナルコンテンツの著作権者の許可が必要である。
【００３５】
以上説明したように、本発明の実施の形態によれば、ネットワークを介して接続されているデータベース（アレンジサービスプロバイダ１０）から、ユーザが所望するＡＶコンテンツデータのアレンジ用データあるいはアレンジ済みデータ（新コンテンツ）を提供し、ユーザ所有の端末装置２１によりアレンジ済みデータ（新コンテンツ）を再生したり、あるいは端末装置２２によりアレンジ用データに基づいてＡＶコンテンツデータをアレンジして再生したりするので、ＡＶコンテンツデータの再生環境としてユーザが用意したアレンジ用データにより再現される様々な状態で音楽や映像、ＣＧ、ゲーム、電子書籍を鑑賞することができる。
【００３６】
ここで、上述したようなアレンジ用データの具体例については、例えば本件出願人が先に提案した特願２００５−０３８５８２号の明細書及び図面に記載したようなものを用いることができる。
【００３７】
すなわち、図４は、記録媒体としてのＣＤを使用し、これにオリジナルコンテンツとしての楽曲と、アレンジ用データとを記録する場合について、その記録内容および記録形態の一例を示す図である。
【００３８】
図４に示す例においては、ＣＤ１が例えばCD Extra形式とされ、その第１セッションに複数のオリジナルコンテンツとしての楽曲１〜Ｎのデジタルオーディオデータ（無圧縮のデジタルオーディオデータ）が、トラック１〜Ｎとして記録される。この場合、トラック１〜Ｎにおけるデジタルオーディオデータは、通常のＣＤ−ＤＡ（digital audio）における楽曲と同様のフォーマットで記録されているものである。
【００３９】
また、ＣＤ１の第２セッションには、アレンジ用データとして、Ｎ組のメタデータMETA_1〜META_NおよびタグデータTAG_1〜TAG_Nが記録されている。この場合、メタデータMETA_iは、対応するオリジナルコンテンツとしての楽曲（トラック）ｉに変化を与える（アレンジをする）ためのデータであり、例えば、楽曲ｉにギターによる伴奏を付加するようなアレンジの場合であれば、ギターによる伴奏のデジタルオーディオデータを生成するためのデータである。
【００４０】
メタデータMETA_iとしては、例えば、楽曲ｉのデジタルオーディオデータと、そのアレンジ結果のデジタルオーディオデータとの差分のデジタルオーディオデータを用いる場合や、楽曲ｉの時間軸、周波数軸あるいはレベルに変化を与えるデータ、例えばテンポ、ピッチ、音量などを変更するデータを用いる場合や、楽曲ｉの構成情報、つまり各小節の始まりを示す時間情報や各小節におけるコード（和音）情報などを用いる場合が挙げられる。また、このメタデータMETA_iには、楽曲ｉとの同期を取るため、同期データ、あるいは楽曲ｉの対応する位置を示すアドレスデータが含まれる。
【００４１】
タグデータTAG_1〜TAG_Nは、第１セッションに記録されているトラック（楽曲）１〜Ｎのそれぞれと、メタデータMETA_1〜META_Nのそれぞれとを対応させる、あるいは関連付けするための情報である。すなわちタグデータTAG_1〜TAG_Nは、メタデータMETA_1〜META_Nのそれぞれが、楽曲１〜Ｎのうちのどの楽曲に対応しているかを特定するための情報である。
【００４２】
例えば、図５に示すフォーマットの具体例の場合に、タグデータTAG_i（i＝1〜N）は、このＣＤ１のＣＤ番号、レーベル会社（発売元）、アルバム名、対応するトラックｉの楽曲名、ＩＳＲＣ（International Standard Recording Code）などのデータを有する。そして、このタグデータTAG_iに続いてメタデータMETA_iが記録される。
【００４３】
このようなＣＤ１によれば、第１セッションにおける楽曲ｉと、第２セッションにおけるメタデータMETA_iとは、タグデータTAG_iを通じて対応付けされているので、楽曲ｉを、そのメタデータMETA_iにより変化させること（すなわちアレンジをすること）ができることになる。しかも、１つの楽曲ｉに対して複数（Ｍ個）のメタデータMETA_ij（j＝1〜M）を用意すれば、同じ楽曲ｉをＭ通りの異なったアレンジ１〜Ｍの内の所望のアレンジで聴くこともできる。この場合、後述するように、複数のアレンジを組み合わせて用いるようにすることも実現可能である。
【００４４】
また、ＣＤ１によれば、楽曲ｉをアレンジしない状態で聴くことができ、ＣＤ１を通常のＣＤと同様に単体で利用することもできる。さらに、ＣＤ１の楽曲ｉ、メタデータMETA_iおよびタグデータTAG_iを、例えばパーソナルコンピュータのハードディスク装置に移して利用することもできる。さらに、すでに楽曲ｉを購入したリスナの場合には、他者が作成したアレンジ用データのメタデータMETA_iおよびタグデータTAG_iを、インターネットやホームページなどを通じて入手したり、自分が作成したアレンジ用データのメタデータMETA_iおよびタグデータTAG_iを、インターネットやホームページなどを通じて配布あるいは販売することもできる。
【００４５】
なお、タグデータTAG_iおよびメタデータMETA_iは、ＣＤのＴＯＣに含ませたり、フリンジデータの一部としてＣＤテキストのテキスト部に含ませることもできる。
【００４６】
上述の例では、アレンジの対象を楽曲とした場合について説明したが、アレンジの対象を、映画、テレビ放送、ゲームなどによる映像・画像のデータとすることもできる。
【００４７】
例えば、図６は、上記ＣＤの代わりにＤＶＤを用い、ＤＶＤに収容されている映像をアレンジする場合におけるメタデータMETA_iおよびタグデータTAG_iのフォーマットの一例を示している。この図６の例では、上記図４のＣＤに楽曲を収容している場合の図５のフォーマットとほぼ同様に、タグデータTAG_iは、ＤＶＤ番号、レーベル会社、アルバム名、タイトル名、コンテンツＩＤなどのデータを有する。
【００４８】
そして、タグデータTAG_iにメタデータMETA_iが続く。このメタデータMETA_iによるアレンジとしては、実写画像・映像、ＣＧなどのキャラクタアニメーションに対しては画面の一部や全体あるいは特定の対象物に対する色調補正、エッジ強調、ノイズ付加などのフィルタ処理や諧調の変更・加工、ズームやパンによる表示領域の変更、文字や図形などのスーパーインポーズ、シーンの抜き出しや挿入、他の映像・画像との合成、再生速度の変更などがある。特に、キャラクタアニメーションの場合には他に空間的な位置、形状、材質に作用するアニメーションのカーブ（キーフレームに対応する値）や適用するテクスチャの変更、さらに３次元ＣＧでは光源パラメータの変更やフォグの追加や変更なども可能である。
【００４９】
これら画像に対するアレンジは、前述の音楽コンテンツに対するアレンジと対比すれば、楽曲の再生テンポは画像の再生速度に、楽曲のピッチ（音高）は画像の色彩や形状に、楽曲の曲調は画像の色調に、各種楽器音はＣＧキャラクタや画像の形状や色彩などに、それぞれ対応するものと考えられる。
【００５０】
したがって、このメタデータMETA_iおよびタグデータTAG_iによれば、対応する映像・画像データをアレンジすることができる。
【００５１】
次に、図７は、上述したような記録フォーマットのＣＤ１を再生するための再生装置の一例を示すブロック図である。この図７に示す再生装置３０においては、ＣＤ１がスピンドルモータ４１により所定の速度で回転させられ、光学ヘッド３１によりＣＤ１からＥＦＭ信号が再生され、このＥＦＭ信号が再生アンプ３２を通じて取り出される。
【００５２】
この取り出されたＥＦＭ信号がサーボ回路４２に供給され、そのサーボ出力がスピンドルモータ４１に供給されてＣＤ１は所定の回転速度に制御されるとともに、別のサーボ出力が光学ヘッド３１に供給されてＣＤ１に対するスレッドサーボ、トラッキングサーボおよびフォーカスサーボが行われる。なお、このとき、システム制御回路４３がマイクロコンピュータにより構成され、ＣＤ１の再生が制御される。例えば、操作ボタン４４を操作すると、ＣＤ１のトラック（楽曲）のうち、目的とするトラックが選択される。
【００５３】
この図７に示すような再生装置を用いて、通常の再生（オリジナルコンテンツの再生）あるいは伴奏を付加した再生（アレンジ済みの新コンテンツの再生）が以下のように行われる。
【００５４】
先ず通常の再生を行う場合には、再生アンプ３２から取り出されたＥＦＭ信号がＥＦＭ復調回路３３に供給されて楽曲ｉのもとのエンコード信号が復調され、このエンコード信号がエラー訂正用のデコーダ回路３４に供給されてもとのデジタルオーディオデータがデコードされる。そして、このデコードされたデジタルオーディオデータが、後述する合成回路３５を通じてＤ／Ａコンバータ回路３６に供給されてアナログオーディオ信号Ｌ、ＲにＤ／Ａ変換され、この信号Ｌ、Ｒが出力端子３７に取り出される。
【００５５】
したがって、ＣＤ１の第１セッションに記録されている楽曲ｉを通常どおり再生することができる。
【００５６】
次に、上述したようなアレンジを施した再生、例えばオリジナルのコンテンツの楽曲に伴奏を付加した再生を行う場合について説明する。
【００５７】
この場合には、第２セッションに記録されているメタデータおよびタグデータのうち、目的とする楽曲ｉのｊ番目のアレンジに対応するメタデータMETA_ijおよびタグデータTAG_iが再生されてデコーダ回路３４から取り出され、この取り出されたメタデータMETA_ijおよびタグデータTAG_iがバッファ回路３８に供給されていったん蓄積される。
【００５８】
続いて、上記通常再生の場合と同様に、目的とする楽曲ｉのデジタルオーディオデータがデコーダ回路３４から取り出され、合成回路３５に供給される。そして、このとき、バッファ回路３８に蓄積されているメタデータMETA_ijが、デコーダ回路３４から取り出されている楽曲ｉのデジタルオーディオデータに同期して取り出される。なお、この取り出しの同期には、タグデータTAG_iが使用される。
【００５９】
次に、このバッファ回路３８から取り出されたメタデータMETA_ijが生成回路３９に供給される。この生成回路３９は、例えばＤＳＰにより構成され、これに供給されたメタデータMETA_ij（j＝1〜3）から楽曲ｉの伴奏のデジタルオーディオデータを生成するものである。例えば、メタデータMETA_i1が、楽曲ｉにギターによる伴奏を付加するためのデータであれば、ギターによる伴奏のデジタルオーディオデータが生成される。
【００６０】
なお、このとき、操作ボタン４４を操作すると、システム制御回路４３により生成回路３９が制御されてメタデータMETA_ijが選択され、その選択されたメタデータの示す伴奏のデジタルオーディオデータが生成される。
【００６１】
また、メタデータMETA_ijのうち、選択されたメタデータがテンポを変更ないし指定するデータを含んでいる場合には、そのテンポを示すデータがシステム制御回路４３に供給され、この結果、制御回路４３によりサーボ回路４２が制御されてＣＤ１の回転速度が変更され、ＣＤ１から再生されるデジタルオーディオデータの速度（テンポ）が変更される。
【００６２】
次に、生成回路３９により生成された伴奏のデジタルオーディオデータが合成回路３５に供給され、本来の楽曲ｉのデジタルオーディオデータに合成される。なお、このとき、上記のように、ＣＤ１から再生されるデジタルオーディオデータの速度（テンポ）が変更されたときには、その楽曲ｉの音程が変化してしまうので、合成回路３５において、もとの音程に補正される。もちろん、アレンジの結果としてもとの音程にすることもできるし、その音程を高めたり低めたりすることもできる。
【００６３】
こうして、合成回路３５からはメタデータMETA_ijにしたがってアレンジされた楽曲ｉのデジタルオーディオデータが取り出され、そのアナログオーディオ信号Ｌ、Ｒが出力端子３７に取り出される。
【００６４】
したがって、この再生装置３０によれば、上述したＣＤ１を再生するとき、アレンジされた結果としての伴奏付きで再生することができる。また、このとき、１つの楽曲ｉに対して複数のメタデータMETA_ijを用意してあれば、同じ楽曲ｉを異なったアレンジで聴くこともできる。
【００６５】
なお、上述の実施例においては、複数のメタデータMETA_ijのうち１つのメタデータを選択するようにしたが、これに限らずそれらを複数組み合わせてアレンジすることも可能である。例えばメタデータMETA_i1によりボサノバ調のリズムでギター伴奏を付加し、メタデータMETA_i2により再生テンポを１０％速めて、メタデータMETA_i3により楽曲の音程をもとの音程に比べて３度高くする、といったアレンジができる。
【００６６】
次に、図８は、データベースサーバとして例えば上記図１と共に説明したようなアレンジサービスプロバイダ１０を利用する場合の一例を示す。すなわち、この例においては、オリジナルコンテンツとしての楽曲ｉは通常のＣＤ２から再生するとともに、その楽曲ｉのメタデータMETA_iおよびタグデータTAG_iは、データベースサーバである例えばアレンジサービスプロバイダ１０のメタデータ（アレンジ用データ）のデータベース１１に収容し、これをネットワークを通じて利用する場合である。すなわち、アレンジサービスプロバイダ１０には、データベース１１が用意され、このデータベース１１に、楽曲１〜ＮのメタデータMETA_1〜META_NおよびタグデータTAG_1〜TAG_Nが蓄積される。
【００６７】
このため、ＣＤ２の再生用として専用のＣＤプレーヤ４５が用意される。このＣＤプレーヤ４５は、信号系が例えば図７に示すように構成されるとともに、ハードディスク装置４６および通信機能を有するものとされる。このＣＤプレーヤ４５は、上記図１のアレンジ機能付きの再生装置である端末装置２２に相当する。そして、このＣＤプレーヤ４５は、ネットワーク、例えばインターネット５０を通じてサーバとしてのアレンジサービスプロバイダ１０に接続される。なお、ＣＤ２は通常のＣＤ−ＤＡである。
【００６８】
図９は、このようなＣＤプレーヤ（アレンジ機能付き再生装置となる通信端末装置）４５を用いて再生を行う場合の操作および処理の手順を示すフローチャートである。
【００６９】
この図９において、まず、プレーヤ４５にＣＤ２をセット（ステップＳＴ１２１）し、タイトルを選択（ステップＳＴ１２２）すると、ＣＤ２からＣＤ番号のデータおよびトラック番号が取り出され、これがインターネット５０を通じてアレンジサービスプロバイダ１０に送信されて対応する楽曲ｉのメタデータMETA_iおよびタグデータTAG_iの返送がアレンジサービスプロバイダ１０に要求される（ステップＳＴ１２３）。
【００７０】
この結果、アレンジサービスプロバイダ１０は、データベース１１から該当するメタデータMETA_iおよびタグデータTAG_iを取り出し、これをインターネット５０を通じてＣＤプレーヤ４５に送信する。なお、この場合、楽曲ｉのメタデータMETA_iが複数あるときには、そのすべて、あるいはユーザの指定したメタデータMETA_iだけをダウンロードすることができる。
【００７１】
すると、ＣＤプレーヤ４５において、その送信されてきたメタデータMETA_iおよびタグデータTAG_iが受信され（ステップＳＴ１２４）、これがハードディスク装置４６にいったん保存される（ステップＳＴ１２５）。続いて、ＣＤ２からステップＳＴ１２２により選択されたタイトルのデジタルオーディオデータが再生され、このデジタルオーディオデータが合成回路３５に供給されるとともに、ハードディスク装置４６に保存されたメタデータMETA_iおよびタグデータTAG_iが生成回路３９（図６）に供給され、楽曲ｉの伴奏のデジタルオーディオデータが生成され（ステップＳＴ１２６）、この生成された伴奏のデジタルオーディオデータが合成回路３５に供給される。
【００７２】
そして、合成回路３５において、これに供給された本来の楽曲（タイトル）ｉのデジタルオーディオデータに、生成回路３９により生成された伴奏のデジタルオーディオデータが合成される（ステップＳＴ１２７）。なお、この合成の同期には、タグデータTAG_iが使用される。
【００７３】
こうして、合成回路３５からはメタデータMETA_iにしたがってアレンジされた楽曲ｉのデジタルオーディオデータが取り出され、このデジタルオーディオデータがＤ／Ａコンバータ回路３６に供給されてアナログのオーディオ信号Ｌ、ＲにＤ／Ａ変換され（ステップＳＴ２８）、このオーディオ信号Ｌ、Ｒが出力端子３７に取り出される。
【００７４】
したがって、このＣＤプレーヤ４５によれば、通常のＣＤ２を再生するとき、伴奏付きで再生することができる。
【００７５】
次に、図１０は、上述したＣＤプレーヤ４５のようなアレンジ機能付き再生装置（図１の端末装置２２）を用いて再生を行う場合の課金処理を説明するためのフローチャートである。
【００７６】
この図１０において、ステップＳＴ１３１でＣＤ（あるいはＤＶＤなど）を装置に挿入し、ステップＳＴ１３２で当該ＣＤ（あるいはＤＶＤなど）に関連するアレンジ用データを選択した後、ステップＳＴ１３３で、選択されたアレンジ用データに基づいて課金処理（あるいは上述したような価値点を付与するポイント処理）を行うと共に、当該ＣＤ（あるいはＤＶＤなど）に記録されているＡＶデータを選択されたアレンジ用データにて変化させながら（アレンジを施しながら）再生処理を行う。あるいは、アレンジ用データにて変化された（アレンジされた）新コンテンツデータを記録保存するようにしてもよい。この場合の金額（あるいは価値点の点数）としては、上記図３と共に説明したように、アレンジ用データの作成者にＰｃ、オリジナルコンテンツの所有者／権利者にＰｄの金額の決済や価値点の付与がなされる。
【００７７】
ところで、図１に示す実施の形態において、アレンジサービスプロバイダ１０と端末装置１５，２１，２２との間は、ネットワークを介して接続されている。これは、例えば図１１に示すように、アレンジサービスプロバイダ１０がネットワーク５０に接続され、このネットワーク５０に、複数の端末装置５１〜５４などが接続されている。これらの端末装置５１〜５４が、上記図１の端末装置１５，２１，２２などに相当するものである。
【００７８】
この図１１に示すようなデータ流通システムにおいて、端末装置５１〜５４は、アレンジサービスプロバイダ１０から新コンテンツデータあるいはアレンジ用データを得ることも可能であるが、端末装置５１〜５４間でデータを交換することも可能である。
【００７９】
例えば、端末装置５１〜５４のユーザをＷ，Ｘ，Ｙ，Ｚとし、端末装置５１はユーザＷが作成したアレンジ用データＷ１，Ｗ２，Ｗ３を保持し、端末装置５２はユーザＸが作成したアレンジ用データＸ１，Ｘ２を保持し、端末装置５３はユーザＹが作成したアレンジ用データＹ１，Ｙ２，Ｙ３，Ｙ４を保持し、端末装置５４はユーザＺが作成したアレンジ用データＺ１を保持しているものとする。これらのユーザＷ，Ｘ，Ｙ，Ｚの各アレンジ用データを、それぞれ他のユーザとの間で交換することができるが、このとき、アレンジ用データを他者に渡す毎に、アレンジ用データの作成者にＰｃ、オリジナルコンテンツの所有者／権利者にＰｄの金額の決済や価値点の付与がなされる。このような端末装置間でのデータ交換の際にも上記決済や価値点付与を行うためには、データ交換の状況をアレンジサービスプロバイダ１０や他のサーバなどに報告するようにし、このサーバなどで上記決済や価値点付与の処理を一括して管理することが好ましい。
【００８０】
また、各端末装置５１〜５４などとして、それぞれカテゴリＩＤを持つようにし、同じカテゴリＩＤを持つ端末装置間でのみアレンジ用データを交換できるようにしてもよい。この場合、例えば、アレンジ用データが送られる毎にそのアレンジ用データの作成者に点数が与えられることにより、同じ嗜好を持つユーザ間のコミュニティ形成が加速される。なお、金銭的な課金処理を行ってもよいことは勿論である。
【産業上の利用可能性】
【００８１】
以上説明したような本発明の実施の形態のアレンジ用データなどの交換／流通／課金・ポイント処理システムは、音楽や映画のアクティブな楽しみ方と著作権者・作成者への還元のしくみを提供するものであり、爆発的に増える可能性がある。一種のコミュニティができていく可能性も高い。ジャズコミュニティ、クラシックコミュニティ、テンポコミュニティ、アレンジコミュニティ、替え歌（歌詞）コミュニティなど用途やジャンル別にコミュニティ化していく可能性もある。また、スポーツなどの世界大会や国別対抗戦などに適用してチーム別、国別コミュニティへの適用もできる。
【００８２】
本発明の実施の形態によれば、音楽や映像などの素材そのもの（コンテンツデータ）を楽しむことができるとともに、その素材を変化させて得られたアレンジ結果も楽しむことができる。また、そのアレンジ結果を与える情報（付加データ）を友人などに提供すれば、その友人もアレンジ結果を楽しむことができる。あるいはアレンジ結果を与える情報をサーバに用意してポータルサービスで流通させたり、Ｐ２Ｐ（ピアツーピア）で配布したりすることもでき、ユーザが素材にアクティブにかかわることができるなど、様々な楽しみ方ができる。
【００８３】
しかも、アレンジ結果を与える情報は、これを利用するユーザが素材を用意した場合のみ意味を持つことになるので、著作権上も大きな前進となるとともに、素材の売り上げに寄与することもできる。
【００８４】
また、本発明の実施の形態では、ＣＤやＤＶＤなど販売用のＡＶコンテンツデータ、いわゆるプロフェッショナルコンテンツに対して、ユーザは自身が作成した付加データやアレンジデータをアップロードしたり、Ｐ２Ｐで交換したり、光ディスクやＨＤＤ、メモリなどの記録媒体に蓄積したり、自由に流通させることにより、種々の付加価値を与え、新しいコンテンツの楽しみ方を提供できる。この付加データは様々な劇場や、ホール、ライブ会場、教会、屋外等の空間特性データでもよい。また記録媒体には、ユーザが作成した種々の付加データやアレンジデータが記録されているので、ユーザは、同じＡＶソースでも任意のユーザ作成付加データを選択して、様々な状況で音楽や映画を鑑賞することができる。しかも、そのアレンジ用データやアレンジ済みコンテンツから、オリジナルコンテンツの所有者Ａにも、アレンジを行った作成者Ｂに対しても金銭的に（ポイント等も含む）報いる仕組みができており、音楽会社や映画会社、ゲーム会社などコンテンツ産業自身が潤うとともに、ユーザにもインセンティブが与えられ、コミュニティ形成が加速し、パーソナルコンテンツ拡大への期待が一気に高まるものである。
【００８５】
なお、本発明は上述した実施の形態のみに限定されるものではなく、本発明の要旨を逸脱しない範囲において種々の変更が可能であることは勿論である。
【符号の説明】
【００８６】
１，２  ＣＤ、  １０  アレンジサービスプロバイダ、  １１  アレンジ用データのデータベース、  １２  アレンジ済みデータのデータベース、  １５  アレンジデータ作成者の端末装置、  １６  コンテンツホルダ、  １７  権利団体、  １８  著作権者、  ２１，２２，５１〜５４  端末装置、  ４５  ＣＤプレーヤ（アレンジ機能付き）、  ５０  ネットワーク
【図１】
2010170580.tif 000003
【図２】
2010170580.tif 000004
【図３】
2010170580.tif 000005
【図４】
2010170580.tif 000006
【図５】
2010170580.tif 000007
【図６】
2010170580.tif 000008
【図７】
2010170580.tif 000009
【図８】
2010170580.tif 000010
【図９】
2010170580.tif 000011
【図１０】
2010170580.tif 000012
【図１１】
2010170580.tif 000013